(57)【要約】【課題】  ブック原稿の読み取りの操作性の向上をはかる。【解決手段】  スキャナーを構成するプラテン上にセットした原稿を読み取る画像処理装置において、上記プラテンの両端位置にブック原稿の綴じ目を合わせるためのエッジ部を形成した。このようにすれば、プラテンの両端にブック原稿の綴じ目をセットするエッジ部を形成でき、一方の端部のエッジ部に上記ブック原稿をセットして見開き状態の当該ブック原稿の一方の面を読み取る。その後上記ブック原稿をもう一方の端部のエッジ部にスライドさせてセットするだけでもう一方の面の読み取りを行うことができるので、当該見開き状態のブック原稿の読み取りの操作性が向上する。【選択図】  図１
2005214996.tif 000002
【特許請求の範囲】
【請求項１】
スキャナーを構成するプラテン上にセットした原稿を読み取る画像処理装置において、
上記プラテンの両端位置にブック原稿の綴じ目を合わせるためのエッジ部を形成したことを特徴とする画像処理装置。
【請求項２】
上記エッジ部は装置本体表面を上記プラテン端部位置から端部に向かって下向きに傾斜させた請求項１記載の画像処理装置。
【請求項３】
上記エッジ部は上記プラテン端部位置から装置本体側面の該プラテンに対しての垂直面で形成された請求項１記載の画像処理装置。
【請求項４】
上記プラテンの両端位置の上記エッジ部それぞれを基準として原稿サイズを検知する原稿サイズセンサを備えた請求項１、２または３記載の画像処理装置。
【発明の詳細な説明】
【技術分野】
【０００１】
本発明は、画像処理装置に関し、特にブック原稿を読み取る画像処理装置に関する。
【背景技術】
【０００２】
従来、画像処理装置に設けているプラテンは、平らなガラス板であることから、シート状の原稿をセットする場合には、その原稿がプラテン面に容易に密着するので、鮮明な読み取り画像を得ることができる。
【０００３】
ところが、ブック状の原稿のように、中央部に綴じ部がある場合には、その綴じ目が浮き上がってしまい、原稿の読み取り面の全体がプラテンに密着しない状態で読み取りが行われるという問題がある。
【０００４】
そして、プラテン上面に密着しない部分の読み取り画像が不鮮明になったり、縮小されたり黒ずんだりするという問題が発生する。さらに、本等を水平状態にまで開くと、背表紙の部分が大きく曲げられたりして損傷を受けることがあり、綴じ目の部分に悪影響が生じたりするという問題がある。
【０００５】
そこで、プラテンの一方の端部にプラテンの端面と装置側の面とでエッジを形成し、当該エッジにブック原稿の綴じ目を合わせて見開き状態でセットし、当該ブック原稿を鮮明に読み取る技術が提案されている（特許文献１参照）。
【特許文献１】特開２０００−１６５６１７号公報
【発明の開示】
【発明が解決しようとする課題】
【０００６】
しかしながら、上述した従来技術では、例えば、見開き状態のブック原稿の向かって左側の原稿面を読み取った後、向かって右側の原稿面を読み取ろうとした場合、当該ブック原稿の綴じ目を合わせるエッジがプラテンの一方の端部にしかないため、当該ブック原稿を１８０°回転させてからセットして読み取るという手順を踏まないといけない。
【０００７】
この手順を踏むことは、装置を利用するユーザにとって大変煩わしいものであり、読み取りの操作性という点では劣悪なものであった。
【０００８】
そこで、本発明では上述した問題に鑑み、ブック原稿の読み取りの操作性の向上をはかることを目的とする。
【課題を解決するための手段】
【０００９】
本発明は、スキャナーを構成するプラテン上にセットした原稿を読み取る画像処理装置を前提としている。
【００１０】
本発明は上記プラテンの両端位置にブック原稿の綴じ目を合わせるためのエッジ部を形成した構成としている。
【００１１】
このようにすれば、プラテンの両端にブック原稿の綴じ目をセットするエッジ部を形成でき、一方の端部のエッジ部に上記ブック原稿をセットして見開き状態の当該ブック原稿の一方の面を読み取る。その後上記ブック原稿をもう一方の端部のエッジ部にスライドさせてセットするだけでもう一方の面の読み取りを行うことができるので、当該見開き状態のブック原稿の読み取りの操作性が向上する。
【００１２】
また、上記エッジ部は装置本体表面を上記プラテン端部位置から端部に向かって下向きに傾斜させた構成としてもよい。
【００１３】
また、上記エッジ部は上記プラテン端部位置から装置本体側面の該プラテンに対しての垂直面で形成された構成としてもよい。
【００１４】
このようにすれば、ブック原稿の原稿面とプラテンとの密着度が高まり、より鮮明な画像を読み取ることができる。
【００１５】
また、上記プラテンの両端位置の上記エッジ部それぞれを基準として原稿サイズを検知する原稿サイズセンサを備えた構成としてもよい。
【００１６】
このようにすれば、上記エッジ部それぞれを基準とした用紙サイズを検知することができるので、どちらのエッジ部にブック原稿をセットしても読み取りが可能となる。
【発明の効果】
【００１７】
プラテンの両端位置にブック原稿の綴じ目をセットするエッジ部を形成することで、見開き状態の当該ブック原稿の読み取りの操作性が向上する。
【発明を実施するための最良の形態】
【００１８】
以下、本発明の実施の形態を図面にしたがって詳細に説明する。
【００１９】
図１は本発明の実施の形態における画像処理装置の構成を示す概略図であり、図２は本発明の実施の形態における画像処理装置の機能ブロック図である。なお、本実施の形態では、原稿としてブック原稿を使用する場合について説明する。
【００２０】
装置本体１の上部にはスキャナー２を備え、従来より一般に使用されているスキャナーと同様に、プラテン３にセットした原稿の全面を光源が走査の必要な範囲で移動して、原稿を読み取る。
【００２１】
上記スキャナー２を構成するプラテン３の両端には装置本体１表面を上記プラテン３端部位置から端部に向かって下向きに傾斜させた傾斜面４ａ、４ｂによりそれぞれ鈍角のエッジ部５ａ、５ｂを形成している。上記装置本体１の傾斜面４ａ、４ｂの裏側表面には白基準板が配置されている。
【００２２】
したがって、厚い本等のようなブック原稿Ａの綴じ目の部分を見開き状態で鈍角に開いて前記エッジ部５ａ或いは５ｂに押圧して、読み取り面を上記プラテン３に密着させ、読み取りを行わない面を装置本体１の側傾斜面４ａ或いは４ｂに密着させて安定した状態で原稿のセットを行うことができる。なお、上記プラテン３の端部から上記装置本体１の側面の上記プラテン３の面に対しての垂直面でエッジ部５ａ、５ｂを形成し傾斜角を９０°とする構成としてもよい。
【００２３】
さらに、プラテン３の下面には図３に示すように原稿のセット状態を検出する原稿検知センサ６ａ、６ｂと、上記エッジ部５ａ、５ｂそれぞれを基準として原稿のサイズを検知する複数で構成される原稿サイズセンサ７（図２参照）を設けている。
【００２４】
上記構成により、プラテン３の端部と装置本体１の傾斜面４ａ、４ｂとの間に形成するエッジ部５ａ或いは５ｂに対して、ブック原稿の綴じ目を位置させるようにして開くことにより、読み取る原稿面が平らにセットでき、綴じ目の部分まで鮮明に読み取ることができる。
【００２５】
次に、原稿のセットから画像の読み取りまでの動作状況を図４に従って詳細に説明する。
【００２６】
まずユーザがブック原稿をプラテン３の上面にセットし、ブック原稿の見開きの両面の画像を１枚の用紙に印刷する場合は、モード設定手段８によりブックモードを設定してスタートキーをＯＮする（Ｓ１）。なお、１枚の用紙に見開きの両面の画像を合成せずに左右片側の面だけの画像を出力する場合は、ブックモードを設定せずに通常のページ原稿を出力するのと同様に出力する。
【００２７】
上記スタートキーがＯＮされると、原稿検知センサ６ａ、６ｂが起動し上記ブック原稿がセットされている位置について、図面上向かって左側のエッジ部５ａにセットされているのか否かを検知する（Ｓ２）。
【００２８】
上記向かって左側のエッジ部５ａに原稿がセットされている場合、原稿サイズセンサ７が起動し、左側のエッジ部５ａを基準として原稿サイズを検知する（Ｓ３）。これによって、検出されたサイズに対応する用紙の２倍のサイズの用紙が選定される。
【００２９】
一方、左側のエッジ部５ａに原稿がセットされていない場合、右側のエッジ部５ｂに原稿がセットされているのか否かを検知する（Ｓ２→Ｓ４）。
【００３０】
検知処理Ｓ４で、上記右側のエッジ部５ｂに原稿がセットされていると検知された場合、当該右側のエッジ部５ｂを基準として原稿サイズセンサ７が原稿サイズを検知し（Ｓ４→Ｓ５）、上記左側の場合と同様用紙サイズの選定がなされる。
【００３１】
一方、検知処理Ｓ４で、上記右側のエッジ部５ｂに原稿がセットされていないと検知された場合、読み取る原稿がないので処理を終了する。
【００３２】
上記原稿のセットされている位置の検知及び原稿サイズの検知が終了するとスキャナー２が起動し、当該原稿をスキャンして読み取ることとなる（Ｓ６）。
【００３３】
上記のように読み取った画像は一旦記憶手段９にビットマップデータとして格納される。
【００３４】
このとき、ユーザは、ページをめくって読み取るのか或いは見開き状態の左右両側の面を読み取るのかによって、それぞれに対応した上記ブック原稿のセットを行う。
【００３５】
例えば、見開き状態の左右両側の面を読み取る場合、ブック原稿の既に読み取った左側の面に対して右側の面を読み取るが、上記プラテン左側の端部のエッジ部にセットされているブック原稿を右側の端部のエッジ部までスライドしてセットする。
【００３６】
このようにすれば、上記プラテンの一方の端部のエッジ部に上記ブック原稿をセットして見開き状態の当該ブック原稿の一方の面を読み取る。その後上記ブック原稿をもう一方の端部のエッジ部にスライドさせてセットするだけでもう一方の面の読み取りを行うことができるので、当該見開き状態のブック原稿の読み取りの操作性が向上する。
【００３７】
ところで、モード設定手段８によりブックモードを設定している場合は、ブック原稿の見開き両面の画像を１枚の用紙に印刷する場合であり、左右両側の面の読み取りが終了した時点で、合成手段１１が起動し記憶手段９上のビットマップデータの合成処理がなされた後、出力手段１０により見開き状態のブック原稿の画像として１枚の用紙に出力される。
【００３８】
なお、上記スキャナーの副走査順方向の終点側の上記エッジ部にブック原稿がセットされた場合、当該スキャナーが副走査順方向に対して逆向きに走査して読み取る構成とし、当該読み取った画像に対して鏡像処理を行った後、出力する構成としてもよい。
【００３９】
上記実施の形態で説明した構成は、単に具体例を示すものであり、本願発明の技術的範囲を制限するものではない。本願の効果を奏する範囲において、任意の構成を採用することが可能である。
【産業上の利用可能性】
【００４０】
プラテンの両端位置にブック原稿の綴じ目をセットするエッジ部を形成することで、見開き状態のブック原稿の読み取りの操作性が向上するので有用である。
【図面の簡単な説明】
【００４１】
【図１】本発明の実施の形態における画像処理装置の構成を示す概略図である。
【図２】本発明の実施の形態における画像処理装置の機能ブロック図である。
【図３】本発明の実施の形態における画像処理装置にブック原稿をセットした状態を示す縦断面図である。
【図４】本発明の実施の形態における画像処理装置の読み取り動作を示すフロー図である。
【符号の説明】
【００４２】
３    プラテン
５ａ    エッジ部
５ｂ    エッジ部
７    原稿サイズセンサ
【図１】
2005214996.tif 000003
【図２】
2005214996.tif 000004
【図３】
2005214996.tif 000005
【図４】
2005214996.tif 000006